(57)【特許請求の範囲】
【請求項１】
ポールの先端部に備えた軸により開閉自在に支持された一対の湾曲状鋏部材から成る本体に、ガイドロープを仮固定する仮固定具と、各々の湾曲状鋏部材に架設され本体を閉方向に付勢する第一付勢手段および第一付勢手段よりも弱い付勢力で本体を開方向に付勢する第二付勢手段の各々と、本体を開状態に保持するストッパーおよびこのストッパーを操作して本体の開状態の保持を解消する操作板と、そして、一方の湾曲状鋏部材において第一付勢手段の一端を保持・開放自在とするピン部材とを備えたものであるガイドロープ取付け工具であって、
前記ガイドロープは、ロープ本体に一対の先端部分を設けた略Ｙ字形状のものと成し、一方の先端部分には係合受け金具を備え他方の先端部分には係合突き金具を備えており、そして、ロープ本体には前記操作板と前記ピン部材とが各々紐を介して連結されているものであるガイドロープ取付け工具。
【請求項２】
ポールの先端部に備えた湾曲状パイプの両端部内にコイルスプリングにより各々突出方向へと付勢された一対の湾曲状アームを各々摺動自在に内蔵して備えると共に、各々の湾曲状アームに前記コイルスプリング内を挿通して操作ロープを接続して成る本体に、ガイドロープを仮固定する仮固定具を備えたものであるガイドロープ取付け工具であって、
前記ガイドロープは、ロープ本体に一対の先端部分を設けた略Ｙ字形状のものと成し、一方の先端部分には係合受け金具を備え他方の先端部分には係合突き金具を備えているものであるガイドロープ取付け工具。
【請求項３】
ポールと本体との取付け角度を調節する関節機構をポールの適宜部分に備えたものである請求項１または請求項２に記載のガイドロープ取付け工具。
【発明の詳細な説明】
【０００１】
【発明の属する技術分野】
本発明は樹木を伐採する際に、樹木を所定の方向へと引き寄せて傾けながら切り倒すためのガイドロープを樹木の幹に取付ける工具に関するものであり、詳しくはより簡便で確実且つ安全にガイドロープを樹木に取付けることができる取付け工具を提供することを目的とする。
【０００２】
【従来の技術】
図１２に示すような現場状況における樹木１の伐採については、切り倒す際に樹木１が送電線２に倒れかかったり、更には家屋３に倒れ込んだりしないように所定の方向、即ち障害物などが無い方向Ａへと樹木１を引き寄せて傾けながら切り倒す必要がある。
このため、従来においては図１３に示すような把持具４を樹木１の幹の比較的高い位置に取付け、この把持具４に繋いだガイドロープ５を所定の方向Ａへと引き寄せて樹木１を傾けながら切り倒すようにしていた。
この把持具４は、湾曲状に形成した金属製の鋏状のものであり、繋いだガイドロープ５を引くことにより樹木１の幹を挟み付けて把持するようになっているものである。
【０００３】
しかしながら、このような把持具４にあっては、ガイドロープ５を常に緊張させていなければ挟み付ける力が消滅あるいは弱まって脱落してしまうほか、重量も相当に重いものであるため樹木１の幹の比較的高い部分への取付けに際しては困難を伴うと共に、取付け作業中に落下すれば極めて危険なものであり、更には樹木１を把持した状態で地面などに衝突するものであるため損傷することも多いものであった。
【０００４】
【発明が解決しようとする課題】
本発明はこのような従来の技術や現状に着目してなされたものであり、より簡便で確実且つ安全にガイドロープを樹木に取付けることができる取付け工具を提供せんとするものである。
【０００５】
【課題を解決するための手段】
本発明のガイドロープ取付け工具は上記のような課題を解決するために、樹木の所定の位置において開閉させることにより、ガイドロープだけを樹木に最終的に取り付けることができるようにしたものである。
即ち、ポールの先端部に備えた軸により開閉自在に支持された一対の湾曲状鋏部材から成る本体に、ガイドロープを仮固定する仮固定具と、各々の湾曲状鋏部材に架設され本体を閉方向に付勢する第一付勢手段および第一付勢手段よりも弱い付勢力で本体を開方向に付勢する第二付勢手段の各々と、本体を開状態に保持するストッパーおよびこのストッパーを操作して本体の開状態の保持を解消する操作板と、そして、一方の湾曲状鋏部材において第一付勢手段の一端を保持・開放自在とするピン部材とを備え、ガイドロープはロープ本体に一対の先端部分を設けた略Ｙ字形状のものと成し、一方の先端部分には係合受け金具を備え他方の先端部分には係合突き金具を備え、そして、ロープ本体に操作板とピン部材とを各々紐を介して連結したものである。
【０００６】
また、別の手段としては、ポールの先端部に備えた湾曲状パイプの両端部内にコイルスプリングにより各々突出方向へと付勢された一対の湾曲状アームを各々摺動自在に内蔵して備えると共に、各々の湾曲状アームにコイルスプリング内を挿通して操作ロープを接続して成る本体に、ガイドロープを仮固定する仮固定具を備え、そして、ガイドロープはロープ本体に一対の先端部分を設けた略Ｙ字形状のものと成し、一方の先端部分には係合受け金具を備え他方の先端部分には係合突き金具を備えたものである。
【０００７】
そして、ポールと本体との取付け角度を調節する関節機構をポールの適宜部分に備えたたものである。
【０００８】
尚、以上および以下の記述において、「仮固定」とは一定の力を加えた場合に速やかに固定状態が解消される程度の固定力にて一時的に固定することを意味する用語として用いるものであり、また、「仮固定具」とはそのような固定力にて一時的に固定することが可能な固定具を意味する用語として用いるものである。
【０００９】
【発明の実施の形態】
本発明の好適な実施の形態を以下、図面に基づいて説明する。尚、各実施の形態に共通する部分には同一の符合を用い、重複する説明は省略する。
図１は請求項１に係る本発明のガイドロープ取付け工具６を示すものであり、ポール７の先端部に備えた軸８により開閉自在に支持された一対の湾曲状鋏部材９ａ、９ｂを本体１０とし、更にこの本体１０にガイドロープ１１を仮固定する仮固定具１２と、本体１０を閉方向に付勢するゴム１３（第一付勢手段）および開方向に付勢するゴム１４（第二付勢手段）の各々と、本体１０を開状態に保持するストッパー１５およびこのストッパー１５を操作して本体１０の開状態の保持を解消する操作板１６と、そして、一方の湾曲状鋏部材９ｂにおいてゴム１３の一端を保持・開放するピン部材１７とを備えたものである。
【００１０】
仮固定具１２は可撓性の樹脂にて形成した板状のものであり、図２に示すように凹部１８と湾曲状鋏部材９ａあるいは９ｂとの間にガイドロープ１１を挟み込んで仮固定することができるようにしたものであり、一定の力を加えれば変形し速やかに固定状態が解消されガイドロープ１１が本体１０から外れるようになっている。
ゴム１３およびゴム１４は、共に各々の湾曲状鋏部材９ａと９ｂとの間に架設するものであり、本体１０を閉方向に付勢するゴム１３の付勢力よりも、本体１０を開方向に付勢するゴム１４の付勢力の方が弱く設定されている。
ストッパー１５は一方の湾曲状鋏部材９ｂに蝶番１９を介して回動自在に備えられた板状のものであり、このストッパー１５を他方の湾曲状鋏部材９ａとの間に介在させるようにすれば本体１０を開状態に保持することができるようになっている。
操作板１６は上記のようにストッパー１５にて本体１０を開状態に保持する際に、ストッパー１５と湾曲状鋏部材９ａとの間に介在させて用いる断面略Ｌ字形状の板であり、この操作板１６を矢示Ｂの方向に引き下げることにより、蝶番１９を境に曲折するようにストッパー１５を操作して本体１０の開状態の保持を解消することができるようになっている。
ピン部材１７は湾曲状鋏部材９ｂに設けた孔２０に挿通されゴム１３の一端を保持・開放自在とするものであり、このピン部材１７を同じく矢示Ｂの方向に引き抜くことによりゴム１３の一端を開放することができるようになっている。
【００１１】
ガイドロープ１１はロープ本体１１ｃに一対の先端部分１１ａおよび１１ｂとを設けた略Ｙ字形状のものであり、一方の先端部分１１ａには係合受け金具２１を備え、他方の先端部分１１ｂには係合突き金具２２を備えており、そして、ロープ本体１１ｃには操作板１６とピン部材１７とが各々矩紐２３および長紐２４を介して連結されている。
【００１２】
一方の湾曲状鋏部材９ａの先端部９ｃには係合受け金具２１を仮固定して保持するためのボッチ２５が備えられており、他方の湾曲状鋏部材９ｂの先端部９ｄには係合突き金具２２を仮固定して保持するためのクリップ２６が備えられている。
尚、２７は駒であり係合受け金具２１を開放状態に保つためのものである。
【００１３】
本発明のガイドロープ取付け工具６は、このような構成としたことにより樹木１の所定の位置において開閉させて最終的にガイドロープ１１だけを樹木１に取り付けることができる。
即ち、先ず図１に示すように湾曲状鋏部材９ｂの孔２０にピン部材１７を挿通し、ストッパー１５および操作板１６をセットした後にゴム１３の一端をピン部材１７に掛けて保持させ本体１０を開状態とし、そして、ガイドロープ１１の各先端部分１１ａ、１１ｂを各仮固定具１２により本体１０に仮固定する。尚、このようにセットする際に安全フック２８を用いるようにすれば、セット作業中にストッパー１５が外れて不意に本体１０が閉状態となるようなことがなく、安全にセット作業を行うことができる。
次いで、図３に示すようにポール７を操作して本体１０を樹木１の所定の位置に臨ませガイドロープ１１の下端を引くと、先ず短紺２３により操作板１６が引き下げられてストッパー１５が外れ、図４に示すように本体１０はゴム１３の付勢力により閉状態となる。
この時、係合受け金具２１と係合突き金具２２とが合体しガイドロープ１１の一対の先端部分１１ａおよび１１ｂとが樹木１を取り囲む状態となる。
そして次に長紐２４によりピン部材１７が引き抜かれてゴム１３の一端が開放されると付勢力が解消するため、ゴム１４の付勢力により本体１０は図５に示すように再び開状態となる。
この際にガイドロープ１１の各各先端部分１１ａ、１１ｂは各仮固定具１２による固定状態が解消され本体１０から外れると共に、係合受け金具２１および係合突き金具２２も各々本体１０から外れる。
そして、ガイドロープ１１とは分離された状態となった本体１０をポール７により操作して移動し取り払えば、最終的にガイドロープ１１だけを樹木１に取り付けることができる。
【００１４】
図６は請求項２に係る本発明のガイドロープ取付け工具２９を示すものであり、ポール７の先端部に備えた湾曲状パイプ３０の両端部３０ａ、３０ｂ内にコイルスプリング３１により各々突出方向へと付勢された一対の湾曲状アーム３２ａ、３２ｂを各々摺動自在に内蔵して備えると共に、各々の湾曲状アーム３２ａ、３２ｂにコイルスプリング３１内を挿通して操作ロープ３３を接続して成る本体３４に、ガイドロープ３５を仮固定する仮固定具３６を備えたものである。
【００１５】
仮固定具３６は図７に示すように脚部３６ａと略半月形状の保持部３６ｂとから成る棒材製のもので、脚部３６ａにて湾曲状パイプ３０あるいは湾曲状アーム３２ａ、３２ｂに取付けられており、この保持部３６ｂにガイドロープ３５を押し込めば挟持されて仮固定することができるようにしたものであり、一定の力を加えれば速やかに固定状態が解消されガイドロープ３５が外れるようになっている。
【００１６】
ガイドロープ３５はロープ本体３５ｃに一対の先端部分３５ａおよび３５ｂとを設けた略Ｙ字形状のものであり、一方の先端部分３５ａには係合受け金具３７を備え、他方の先端部分３５ｂには係合突き金具３８を備えている。
【００１７】
一方の湾曲状アーム３２ａの先端部３２ｃには係合受け金具３７を保持するためのガイドプレート３９ａが備えられており、他方の湾曲状アーム３２ｂの先端部３２ｄには係合突き金具３８を保持するためのガイドプレート３９ｂが備えられている。
【００１８】
このような構成としたことにより、このガイドロープ取付け工具２９も先の実施例と同様に樹木１の所定の位置において開閉させて最終的にガイドロープ３５だけを樹木１に取り付けることができる。
即ち、先ず図６に示すように操作ロープ３３を引いて一対の湾曲状アーム３２ａ、３２ｂを各々湾曲状パイプ３０の両端部３０ａ、３０ｂ内に収納し本体３４を開状態とし、そして、ガイドロープ３５の各先端部分３５ａおよび３５ｂを各仮固定具３６により本体３４に仮固定する。
次いで、図８に示すようにポール７を操作して本体３４を樹木１の所定の位置に臨ませ操作ロープ３３を引く力を緩めると、各湾曲状アーム３２ａ、３２ｂはコイルスプリング３１の付勢力により突出し、図９に示すように本体３４は閉状態となる。
この時、係合受け金具３７と係合突き金具３８とが合体し、ガイドロープ３５の一対の先端部分３５ａおよび３５ｂとが樹木１を取り囲む状態となる。尚、ガイドプレート３９ａおよび３９ｂは、このようにして係合受け金具３７と係合突き金具３８とが合体する際に、その確実性を高めるためのものである。
そして次に再度操作ロープ３３を引くと、各湾曲状アーム３２ａ、３２ｂは再び湾曲状パイプ３１内に収納され本体３４は図１０に示すように再び開状態となる。
そして、本体３４をポール７により操作して移動し取り払えば、ガイドロープ３５は各仮固定具３６による固定状態が解消され本体３４から分離された状態となり、最終的にガイドロープ３５だけを樹木１に取り付けることができる。
【００１９】
図１１はポール７と本体１０，３４との取付け角度を調節する関節機構４０をポール７に設けたものであり、このような構成とすることにより傾いた樹木１の幹などにも容易に対応することができる。
更に、この関節機械４０を複数用いた場合には、左右の傾き角度に加えて上下の傾き角度も調節することができ、複雑な傾きの樹木にも対応することが可能となり一層利便性を高めることができる。
【００２０】
尚、ガイドロープのロープ本体を、一方の先端部分の後端に設けた環状部に挿通させた構成とすれば、ガイドロープを樹木に取付けた後にロープ本体を引いて緊張させた場合に一対の先端部分が樹木１を締め付ける状態となり、多少緊張が緩んでもガイドロープが樹木の所定の位置から移動してしまうようなことがなくなり安定した作業が可能となる。
また、ポール７を伸縮自在のものとすれば持ち運びや収納が容易となり好ましいものとなる。
【００２１】
【発明の効果】
本発明に係るガイドロープ取付け工具は、以上説明してきた如き内容のものであり、より簡便で確実且つ安全にガイドロープを樹木に取付けることができる。
即ち、ポールに取付けた本体を樹木の所定の位置において開閉させるだけの間便な操作により、確実にガイドロープを樹木に取り付けることができる。
また、取付け作業中に工具が落下するような危険がなくなると共に、ガイドロープを樹木に取付けた後には本体を移動して最終的にガイドロープだけを樹木に取り付けるため、工具自体が損傷するようなこともなくなる。
【図面の簡単な説明】
【図１】請求項１に係る本発明の実施の形態を示す斜視図である。
【図２】図１中の仮固定具についての説明図である。
【図３】図１に示すガイドロープ取付け工具の使用についての説明図である。
【図４】図１に示すガイドロープ取付け工具の使用状態を示す説明図である。
【図５】図１に示すガイドロープ取付け工具の使用状態を示す説明図である。
【図６】請求項２に係る本発明の実施の形態を示す斜視図である。
【図７】図６中の仮固定具についての説明図である。
【図８】図６に示すガイドロープ取付け工具の使用についての説明図である。
【図９】図６に示すガイドロープ取付け工具の使用状態を示す説明図である。
【図１０】図６に示すガイドロープ取付け工具の使用状態を示す説明図である。
【図１１】請求項３に係る本発明の実施の形態を示す説明図である。
【図１２】従来の技術を示す外観図である。
【図１３】図１２中の把持具についての説明図である。
【符号の説明】
６、２９        …  ガイドロープ取付け工具
７              …  ポール
８              …  軸
９ａ、９ｂ      …  湾曲状鋏部材
１０、３４        …  本体
１１、３５      …  ガイドロープ
１２、３６      …  仮固定具
１３            …  ゴム（第一付勢手段）
１４            …  ゴム（第二付勢手段）
１５            …  ストッパー
１６            …  操作板
１７            …  ピン部材
２１、３７      …  係合受け金具
２２、３８      …  係合突き金具
２３、２４      …  紐
３０            …  湾曲状パイプ
３１            …  コイルスプリング
３２ａ、３２ｂ  …  湾曲状アーム
３３            …  操作ロープ
４０            …  関節機構
【図１】
0003598420.tif 000002
【図２】
0003598420.tif 000003
【図３】
0003598420.tif 000004
【図４】
0003598420.tif 000005
【図５】
0003598420.tif 000006
【図６】
0003598420.tif 000007
【図７】
0003598420.tif 000008
【図８】
0003598420.tif 000009
【図９】
0003598420.tif 000010
【図１０】
0003598420.tif 000011
【図１１】
0003598420.tif 000012
【図１２】
0003598420.tif 000013
【図１３】
0003598420.tif 000014